(57)【要約】本発明は、乾燥防止装置を備える筆記具を提供する。乾燥防止装置を備える筆記具は、ペンホルダー（１１０）と、ペンホルダー内に設置されたペン先（１）と、インクカートリッジ（１３０）と、押圧ロッド（１５０）と、を備える。前記乾燥防止装置を備える筆記具は、乾燥防止装置（２００）をさらに備え、乾燥防止装置（２００）は、切換スリーブ（２１０）と、昇降キャップ（２２０）と、タッピングバネ（２１４）と、回転式閉鎖キャップ（２３０）と、シールパッド（２４０）と、支持バネ（２４４）と、を備える。切換スリーブ（２１０）はペンホルダー（１１０）に挿入されており、切換スリーブ（２１０）の上端部の両側にはそれぞれ弾性部（２１１）が設置され、切換スリーブ（２１０）に弾性部（２１１）に沿って延びている昇降溝（２１２）がさらに設置され、切換スリーブ（２１０）の下端部の両側には回転溝（２１３）が設けられている。昇降キャップ（２２０）は切換スリーブ（２１０）に挿入され、昇降キャップ（２２０）の上端部の両側にそれぞれ支持突起（２２１）が設けられ、回転式閉鎖キャップ（２３０）は、出入孔（２４１）を開閉するよう回転する。【選択図】図１
2021530371.tif 000002
【特許請求の範囲】
【請求項１】
乾燥防止装置を備える筆記具であり、ペンホルダーと、前記ペンホルダー内に設置されたペン先と、インクカートリッジと、押圧ロッドと、を備え、前記ペン先は前記インクカートリッジの下部に連結され、前記押圧ロッドは前記インクカートリッジの上部に配置され、前記インクカートリッジを前記ペンホルダー内で移動させるために用いられており、
前記ペンホルダーの下端部の内壁にリミット突起と、取付溝と、バネ取付面と、が設置され、前記リミット突起が前記バネ取付面の上方に配置され、前記取付溝は前記リミット突起と前記バネ取付面との間に配置され、
前記インクカートリッジの外壁には、締付用昇降突起と、離脱防止挟持面と、が設置され、前記離脱防止挟持面は前記締付用昇降突起の上方に配置され、
前記乾燥防止装置を備える筆記具は、乾燥防止装置をさらに備え、前記乾燥防止装置は、切換スリーブと、昇降キャップと、タッピングバネと、回転式閉鎖キャップと、シールパッドと、支持バネと、を備え、
前記切換スリーブは前記ペンホルダーに挿入されており、前記切換スリーブの上端部の両側にはそれぞれ弾性部が設置され、前記切換スリーブにそれぞれ前記弾性部に沿って延びている２つの昇降溝が設置され、前記弾性部の上端部の外側には、前記リミット突起に適合する耐圧突起が設けられており、前記弾性部の上端部の内側には、前記離脱防止挟持面に適合するロック突起が設けられており、前記切換スリーブの下端部の両側にはそれぞれ回転溝が設置されており、
前記昇降キャップは前記切換スリーブに挿入され、前記昇降キャップの上端部の両側にそれぞれ支持突起が設置され、前記昇降キャップの下端の両側にそれぞれ回転軸が設置され、前記締付用昇降突起と前記支持突起は上下に配置され、それぞれ対応する側の前記昇降溝に挿入され、前記支持突起は前記取付溝に挿入され、
前記タッピングバネは前記切換スリーブ内に挿入され、前記支持昇降キャップと前記インクカートリッジとの間に配置され、
前記回転式閉鎖キャップは、閉鎖面と、前記閉鎖面の両側に配置された回転支持部と、を備え、前記回転支持部には、軸孔と、回転操作突起と、が設置され、前記回転操作突起は前記軸孔の片側に偏心して設置され、前記回転軸は対応する前記軸孔に挿入され、前記回転操作突起は前記回転溝に挿入され、
前記シールパッドには、前記ペン先が出入りするための出入孔が設置され、前記シールパッドは前記切換スリーブの下方に配置され、前記支持バネは前記シールパッドと前記バネ取付面との間に設置され、前記回転式閉鎖キャップは、前記出入孔を開閉するよう回転する
ことを特徴とする乾燥防止装置を備える筆記具。 
【請求項２】
ペンクリップをさらに備え、前記ペンクリップは、前記ペンホルダーの上端部に挿入され、前記押圧ロッドは、前記ペンクリップに挿入され、前記インクカートリッジに連結され、前記ペンホルダーの内壁にシールリングが設置され、前記シールリングが前記ペンクリップの外壁に接触していることを特徴とする請求項１に記載の乾燥防止装置を備える筆記具。
【請求項３】
前記押圧ロッドの外壁にゴムリング溝が設置され、前記ゴムリング溝内にシール用ゴムリングが設置され、前記シール用ゴムリングは前記ペンクリップと前記押圧ロッドとの間に配置されることを特徴とする請求項２記載の乾燥防止装置を備える筆記具。 
【請求項４】
前記シールパッドの底部にはバネ挿入溝が設置され、前記支持バネの上端部が前記バネ挿入溝に挿入されることを特徴とする請求項１に記載の乾燥防止具を備える筆記具。 
【請求項５】
前記ペンホルダーの内壁には、前記ペンホルダーの中心線の周りに配置された複数の回転突起がさらに設置され、前記インクカートリッジの外管壁にガイド突起と、リミット段差面と、が設置されており、前記リミット段差面は前記ガイド突起の上方に配置され、
前記乾燥防止装置を備える筆記具は、タッピングスリーブをさらに備え、前記タッピングスリーブの内壁には前記タッピングスリーブの軸線の周りに等間隔で配置された昇降タッピング歯が設置され、前記タッピングスリーブの下端部には環状歯が設置され、前記昇降タッピング歯は前記ガイド突起に適合しており、前記環状歯は前記回転突起に挟持する
ことを特徴とする請求項１に記載の乾燥防止装置を備える筆記具。 
【請求項６】
前記ペン先が前記ペンホルダー内に引込まれるとき、前記回転式閉鎖キャップの前記閉鎖面は、前記シールパッドに当接し、前記出入孔を密封し、前記ペン先が前記ペンホルダーから延びるとき、前記回転式閉鎖キャップの前記閉鎖面は、前記出入孔を開けるよう前記シールパッドの片側に回転することを特徴とする請求項１〜５のいずれか一項に記載の乾燥防止装置を備える筆記具。
【発明の詳細な説明】
【技術分野】
【０００１】
本発明は、ペン先が乾燥するのを防ぎ、特に、押圧して延出または収縮の機能を備えた蛍光ペンまたはマーカーペンの水性インクまたは揮発性インクが乾燥するのを防ぐ乾燥防止装置を備えた筆記具である。ペンホルダー下部の内側で内部の空間を密閉するよう回転させる乾燥防止装置が設けられる筆記具である。
【背景技術】
【０００２】
通常は蛍光ペンとマーカーペンタイプの水性または揮発性のインクを押圧して操作する筆記具は、その上端部の押圧部を繰り返し押し、押すことで外側にペン先を押出したり内側にペン先を収納したりする。
【０００３】
大韓民国特許第１０−０５５６５６９号は、インクの乾燥を防ぐために、乾燥防止構造を備える筆記具を開示している。即ちペンホルダーの内部に外気の流入を防ぐ構造を備え、ペン先の下端部の内側にペン先が外気に曝されないように設置された乾燥防止構造を片側に回転させる。
【０００４】
しかし、従来の乾燥防止構造の筆記具は、ペン先の出入口を開閉するために、回転スペアパーツがペンホルダーの内側で下端部に密着し、入口を密閉する。回転スペアパーツを操作すると、摩擦力によってスムーズに回転せず、摩擦によりスペアパーツが摩耗したり、頻繁な操作によりスペアパーツが損傷したりすることによって、密閉機能を低下させ、インクの乾燥を防ぐことができないという問題がある。
【０００５】
インクの乾燥を防ぐため、インクカートリッジにおいてペン先を組み合わせたペン先筒体のペン先側に沿って空気が流入するのを防ぎ、ペン先筒体に接触した組み合せゴムリングによって、インクの乾燥を防ぐことができるが、昇降するインクカートリッジとゴムリングは互いに擦れ合うので、ペン先の出し入れがスムーズに行うことができない。
【発明の概要】
【発明が解決しようとする課題】
【０００６】
本発明は、主に、従来の乾燥防止機能を備えた筆記具の上記問題を解決するため、乾燥防止装置を形成する回転式閉鎖キャップとシールパッドを互いに密着しており、ペン先を伸ばしたり引込めたりすると、回転式閉鎖キャップが回転してオンオフになる。回転式閉鎖キャップの回転時の摩擦を防ぎ、ペンホルダーの開閉口が柔らかく滑らかになり、摩擦や摩耗による気密性の低下を防ぐことができることを目的とする。
【０００７】
本発明の他の目的は、インクカートリッジを昇降溝に沿って降下させて弾性部に圧力を加えることができることであり、弾性部が切換スリーブ内で伸縮して弾性部が外側に膨らんだりリセットしたりするのを防ぎ、切換スリーブが上昇せずフック状態を維持し、ペン先の開閉操作がよりスムーズにする。
【０００８】
ペンホルダーの上部を閉じるため、ペンホルダーが昇降すると、インクカートリッジとペンホルダーとの間に摩擦が発生せず、ペン先をよりスムーズに出し入れできる。
【課題を解決するための手段】
【０００９】
本発明の目的を達成するために、本発明は、ペンホルダーと、前記ペンホルダー内に設置されたペン先とインクカートリッジと押圧ロッドと、を含む乾燥防止装置を備えた筆記具を提供し、前記ペン先は、前記インクカートリッジの下部に連結され、前記押圧ロッドは、前記インクカートリッジの上部に配置され、前記インクカートリッジを駆動して前記ペンホルダー内で移動するために使用される。
【００１０】
前記ペンホルダーの下端部の内壁には、リミット突起と、取付溝と、バネ取付面とが設けられており、前記リミット突起は、前記バネ取付面の上方に配置され、前記取付溝は、前記リミット突起と前記バネ取付面との間に配置されている。
【００１１】
前記インクカートリッジの外壁には、締付用昇降突起と、離脱防止挟持面と、が設けられており、前記離脱防止挟持面は、前記締付用昇降突起の上方に配置されている。
【００１２】
前記乾燥防止装置を備える筆記具は、乾燥防止装置をさらに備え、前記乾燥防止装置は、切換スリーブと、昇降キャップと、タッピングバネと、回転式閉鎖キャップと、シールパッドと、支持バネと、を備える。
【００１３】
前記切換スリーブは前記ペンホルダーに挿入され、前記切換スリーブの上端部の両側にそれぞれ弾性部が設置され、前記切換スリーブにそれぞれ前記弾性部に沿って延びている２つの昇降溝が設置され、前記弾性部の上端部の外側には、前記リミット突起に適合（対応）する耐圧突起が設けられており、前記弾性部の上端部の内側には、前記離脱防止挟持面に適合（対応）するロック突起が設けられており、前記切換スリーブの下端部の両側には回転溝が設けられている。
【００１４】
前記昇降キャップは前記切換スリーブに挿入され、前記昇降キャップの上端部の両側にそれぞれ支持突起が設けられ、前記昇降キャップの下端の両側にそれぞれ回転軸が設けられ、前記締付用昇降突起と前記支持突起は上下に配置され、それぞれ対応する側の前記昇降溝に挿入され、前記支持突起は前記取付溝に挿入されている。
【００１５】
前記タッピングバネは前記切換スリーブに挿入され、前記支持昇降キャップと前記インクカートリッジとの間に配置されている。
【００１６】
前記回転式閉鎖キャップは、閉鎖面と、前記閉鎖面の両側に配置された回転支持部と、を備え、前記回転支持部には、軸孔と、回転操作突起と、が設置され、前記回転操作突起は前記軸孔の片側に偏心して配置され、前記回転軸は対応する前記軸孔に挿入され、前記回転操作突起は前記回転溝に挿入されている。
【００１７】
前記シールパッドには、前記ペン先が出入りするための出入孔が設置され、前記シールパッドは前記切換スリーブの下方に配置され、前記支持バネは前記シールパッドと前記バネ取付面との間に設置され、前記回転式閉鎖キャップは、出入孔を開閉するよう回転するために使用される。
【００１８】
ペンクリップをさらに備える。前記ペンクリップは前記ペンホルダーの上端部に挿入され、前記押圧ロッドは前記ペンクリップに挿入され、前記インクカートリッジに連結され、前記ペンホルダーの内壁にはシールリングが設置され、前記シールリングは前記ペンクリップの外壁に接触する。
【００１９】
さらに、前記押圧ロッドの外壁にはゴムリング溝が設置されており、前記ゴムリング溝内にシール用ゴムリングが設置され、前記シール用ゴムリングが前記ペンクリップと前記押圧ロッドとの間に配置されている。
【００２０】
さらに、前記シールパッドの底部にはバネ挿入溝が設置されており、前記支持バネの上端部が前記バネ挿入溝に挿入されている。 
【００２１】
さらに、前記ペンホルダーの内壁に前記ペンホルダーの中心線の周りに配置された複数の回転突起が設置されており、前記インクカートリッジの外管壁には、ガイド突起とリミット段差面が設置され、前記リミット段差面は前記ガイド突起の上方に配置されている。 
【００２２】
前記乾燥防止装置を備えた筆記具は、タッピングスリーブをさらに備え、前記タッピングスリーブの内壁には、その軸の周りに等間隔で配置された昇降タッピング歯が設置され、前記タッピングスリーブの下端部には、環状歯が設置されている。前記昇降タッピング歯は前記ガイド突起に適合し（噛み合い）、前記環状歯は前記回転突起に挟持する。 
【００２３】
さらに、前記ペン先が前記ペンホルダー内に引込まれると、前記回転式閉鎖キャップの前記閉鎖面が前記シールパッドに当接し、前記出入孔をシールする。前記ペン先が前記ペンホルダーから外側に延びると、前記出入孔が開放するよう前記回転式閉鎖キャップの前記閉鎖面が前記シールパッドの片側に回転する。
【発明の効果】
【００２４】
本発明の利点および有益な効果は、ペンホルダーと、ペンホルダーの上端部に設置された押圧ロッドと、ペンホルダーに挿入されて押圧ロッドと共に昇降するインクカートリッジと、ペン先のインクが乾燥するのを防ぐ乾燥防止装置と、から構成され、前記乾燥防止装置は、インクカートリッジの下方に配置され、中空構造に挿入できる切換スリーブと、切換スリーブ内で昇降できる昇降キャップと、昇降キャップの下部と連結して軸方向に沿って回転する回転式閉鎖キャップと、ペンホルダーの内側の下部に挿入され、回転式閉鎖キャップに密着し、ペン先は出入できるよう貫通して形成されたシールパッドと、シールパッドを弾性的に支持する支持バネ、がから構成される。
【００２５】
前記シールパッドが加圧されると、回転式閉鎖キャップが切換スリーブに対して移動し、インクカートリッジの上部の弾性部がインクカートリッジによって圧迫されて変形して外側に拡張するのを防ぐため、弾性部の内側に突出する反圧力突起が形成され、弾性部の外側に突出するロック用突起が形成される。
【００２６】
シールパッドはペンホルダーの内側の下方で一定の間隔によって昇降され、シールパッド上のペン先の出入り用の出入孔は、片側に回転式閉鎖キャップを回転してペンホルダーの下部が閉じられ、且つペンホルダーの上部においてペンクリップの内側にシール用ゴムリングが設けられ、内外の空気循環を防ぐことによってインクの乾燥を防ぐようインクカートリッジの上端部とシール用ゴムリングと、を互いに接触させて、ペンホルダーの内部を密閉する。 
【００２７】
そして、回転式閉鎖キャップを回転するよう駆動することによって、出入孔を開閉する。回転式閉鎖キャップを回転する時、支持バネによりシールパッドと回転式閉鎖キャップとが分離されるため、摩擦が発生せず、出入口の開閉操作がよりスムーズになり、摩擦によるスペアパーツとの間の損傷を防止できる。
【００２８】
押圧ロッドがペン先を押すと、ペン先をインクカートリッジとインクカートリッジの下部に締付された切換スリーブに追従させてペンホルダーの内部を昇降させるため、ペン先が降下する動作時に切換スリーブの両側の弾性部をインクカートリッジで外側に伸ばし、弾性部のロック用突起がペンホルダーの内部のリミット突起の上部に挟持し、下向きの圧力がかかったシールパッドが支持バネの弾性力によって上昇できなくなり、回転式閉鎖キャップとシールパッドとが分離する状態を安定に維持する。 
【００２９】
また、ペンホルダー上部からの空気の流入を防ぐようインクカートリッジとペンホルダーとの間は接触部分をなくし、ペン先の出し入れ操作がよりスムーズになる。 
【図面の簡単な説明】
【００３０】
【図１】本発明の実施例の分解斜視図である。
【図２】本発明の実施例の分解断面図である。
【図３】本発明の実施例の斜視図である。
【図４】本発明の実施例における作動状態の断面図である。
【図５】本発明の実施例におけるインクカートリッジのタッピング動作を併せた状態を示す斜視図である。
【図６】本発明の実施例における乾燥防止装置の締付順序を示している図である。
【図７】本発明の実施例における昇降キャップと回転式閉鎖キャップとの結合状態を示す斜視図である。
【図８】本発明の実施例における乾燥防止装置の要部を示す斜視図である。
【図９】本発明の実施例における切換スリーブ内のインクカートリッジの降下状態を示す断面図である。
【図１０】本発明の実施例における動作順序を示す断面図である。
【図１１】図１０のＡ部のインクカートリッジと切換スリーブの作動状態を拡大して示す拡大断面図。
【図１２】本発明の実施例における回転閉鎖キャップとシールパッドを操作する動作順序を示す断面図である。
【図１３】本発明の実施例における回転閉鎖キャップとシールパッドを操作する操作例を示す拡大図である。
【図１４】他の実施例を使用して、押圧ロッドにシール用ゴムリングを結合する断面図である。
【発明を実施するための形態】
【００３１】
本発明の好ましい実施形態
図１〜図１４に示すように、本発明は、ペンホルダー１１０と、ペンホルダー１１０の上端部に設けられ、ねじまたは係合によってペンホルダー１１０上端部に配置されたペンクリップ１２０と、ペンホルダー１１０の内部に挿入される押圧ロッド１５０と、ペン先１と、インクカートリッジ１３０と、ペンホルダー１１０の前端を密閉してインクの乾燥を防ぐための乾燥防止装置２００、からなる。
【００３２】
前記インクカートリッジ１３０は、コア連結チューブ１３５に設けられたペン先１にインクを供給するためのインクフィルター２が収容されている。
【００３３】
前記ペンホルダー１１０の内側の上端部には、ペンクリップ１２０の下部の外周に当接して内部の連結部をシールするシールリング１１１が設けられ、ペンホルダー１１０の中央部には、タッピングスリーブ１４０に適合する回転突起１１２が設けられ、回転突起１１２の上部には傾斜面が設置され、回転突起１１２は下部まで一定の長さで延びており、回転突起１１２の下部にも昇降キャップ２２０を挿入するために形成された支持突起２２１の取付溝１１３が設置され、隣接する２つの回転突起１１２との間のペンホルダー１１０の壁面に切換スリーブ２１０が降下した後に再び上昇するのを防ぐための制限突出１１４が設置され、ペンホルダー１１０の内側の下方にシールパッド２４０を支持し、支持バネ２４４を取り付けるバネ取付面１１５が設けられている。
【００３４】
前記バネ取付面１１５の上部には、挿入されたシールパッド２４０が支持バネ２４４の支持の下でストロークに応じて昇降するための操作空間１１６が設けられている。
【００３５】
前記ペンホルダー１１０の上端部と組み合わせたペンクリップ１２０をシールリング１１１に挿入し、隙間の発生を防ぎ、筆記具の上部を密閉する役割を果たす。
【００３６】
前記ペンクリップ１２０の内部には、シール用ゴムリング１６０が設けられており、シール用ゴムリング１６０は、インクカートリッジ１３０の上部のシールド面１３６とペンクリップ１２０の開放孔中で昇降する押圧ロッド１５０との間をシールし、外気が隙間から密閉されたペンクリップ１１０に流入することを防ぐ。
【００３７】
前記ペンホルダー１１０には、ペン先１を装着したインクカートリッジ１３０と、インクカートリッジ１３０の上部に設置されたタッピングスリーブ１４０と、インクカートリッジ１３０の下部に設置された乾燥防止装置２００と、が挿入されている。
【００３８】
前記インクカートリッジ１３０の上部には、タッピングスリーブ１４０と連結するリミット段差面１３１が形成され、インクカートリッジ１３０の外側の中間部の両側には、タッピングスリーブ１４０のスライドを案内するためのガイド突起１３２が形成され、インクカートリッジ１３０には、ガイド突起１３２の下方に切換スリーブ２１０の両側に貫通して形成された昇降溝２１２に挿入される締付用昇降突起１３３が形成され、締付用昇降突起１３３の上方には、離脱防止挟持面１３４が形成され、離脱防止挟持面１３４は、切換スリーブ２１０の耐圧突起２１１ａに適合し、切換スリーブ２１０の両側のそれぞれの弾性部２１１が元の位置に戻って拡張した後、２つの弾性部２１１との間の寸法は、下方の離脱防止挟持面１３４の寸法より大きくなり、インクカートリッジ１３０の底部には、ペン先１を挿入するためのコア連結チューブ１３５が形成され、インクカートリッジ１３０の頂部には、シール用ゴムリング１６０に密着するシールド面１３６が形成されている。
【００３９】
前記インクカートリッジ１３０と押圧ロッド１５０とは、ねじ結合等の固定方法により連結することができる。
【００４０】
タッピングスリーブ１４０の内部には、等間隔に配置された昇降タッピング歯１４１が形成され、タッピングスリーブ１４０の下端部に形成されている環状歯１４２の直径は、昇降タッピング歯１４１の周りに形成された円の直径よりも大きい。
【００４１】
前記乾燥防止装置２００は、インクカートリッジ１３０の下部に挿入された切換スリーブ２１０と、切換スリーブ２１０内で上下に移動できる昇降キャップ２２０と、昇降キャップ２２０の上部にインクカートリッジ１３０が弾性的に支持されたタッピングバネ２１４と、昇降キャップ２２０の下部と連結して回転可能な回転式閉鎖キャップ２３０と、ペンホルダー１１０の内側に挿入され、回転式閉鎖キャップ２３０に密着させてペン先１を露出するためのシールパッド２４０と、シールパッド２４０を弾性的に支持する支持バネ２４４と、から構成される。
【００４２】
インクカートリッジ１３０の下部は切換スリーブ２１０に挿入され、切換スリーブ２１０の上端部の両側には、一定の長さに応じて切断して離間された弾性部２１１が形成され、切換スリーブ２１０には、それぞれ弾性部２１１に沿って延び、一定の長さで貫通して昇降溝２１２が形成され、切換スリーブ２１０の下部には、片側が開放され、回転式閉鎖キャップ２３０を取り付けるための回転溝２１３が形成されている。
【００４３】
回転操作突起２３４が回転溝２１３に設けられており、回転溝２１３には、回転操作突起２３４を引っ張って回転させてシールパッド２４０の出入孔２４１を開放する開放操作面２１３ａが形成され、回転溝２１３には、回転操作突起２３４を押して回転させて出入孔２４１を閉塞するための閉塞操作面２１３ｂがさらに形成される。
【００４４】
前記弾性部２１１の上端部の内側には耐圧突起２１１ａが形成され、弾性部２１１の上端部の外側にはペンホルダー１１０の内側のリミット突起１１４に適合するロック突起２１１ｂが形成されている。 
【００４５】
タッピングバネ２１４は、インクカートリッジ１３０を支持してその弾性を回復し、タッピング作業を完了する。
【００４６】
昇降キャップ２２０は、切換スリーブ２１０の上端部から下向きに挿入して結合し、昇降キャップ２２０の上部の２つの側面には、支持突起２２１が形成され、支持突起２２１は、昇降溝２１２に挿入され、支持突起２２１の昇降溝２１２から突き出ている部位は取付溝１１３に挿入され、昇降キャップ２２０の下部の両側には回転軸２２２が形成され、回転軸２２２は回転式閉鎖キャップ２３０に挿入される。
【００４７】
前記回転式閉鎖キャップ２３０は切換スリーブ２１０の下部に配置され、回転式閉鎖キャップ２３０の両側の回転操作突起２３４が回転溝２１３に挿入され、上部に挿入された昇降キャップ２２０に互いに連結されている。
【００４８】
前記回転閉鎖キャップ２３０はシールパッド２４の上部に密着され、回転閉鎖キャップ２３０はペンホルダー１１０の下部を閉塞するための球状の閉鎖面２３１と、閉鎖面２３１の両側から上方に突出する回転支持部２３２、から構成され、回転支持部２３２の中心には、回転軸２２２を挿入するための片側に切り欠かれた軸孔２３３と、回転溝２１３の上部開操作面２１３ａと下部閉操作面２１３ｂ、が形成され、回転支持部２３２に回転操作突起２３４がさらに形成されている。
【００４９】
前記回転操作突起２３４は、軸孔２３３の上方に偏心して配置され、切換スリーブ２１０は、軸孔２３３の中心に対して上下に移動して、回転閉鎖キャップ２３０を駆動して、回転操作を完了する。
【００５０】
前記回転閉鎖キャップ２３０は切換スリーブ２１０の側面から挿入して結合されると、昇降キャップ２２０の回転軸２２２が軸孔２３３に挿入される。
【００５１】
前記シールパッド２４０はペンホルダー１１０の開いた上部から挿入され、シールパッド２４０の中央を貫通してペン先を出入りするための出入孔２４１が形成され、シールパッド２４０の外側にペンホルダー１１０の内壁に接触する接触リング２４２が形成され、シールパッド２４０の下部にバネ挿入溝２３４が設けられ、支持バネ２４４が脱落するのを防止するようにシールパッド２４０を弾性的に支持するための支持バネ２４４がバネ挿入溝２３４に挿入され、支持バネ２４４によってシールパッド２４０と回転閉鎖キャップ２３０とを弾性的に密着させる。
【００５２】
本発明の実施例では、押圧ロッド１５０の下方にゴムリング溝１５０ａが形成され、ゴムリング溝１５０ａ上に締付シール用ゴムリング１６０が形成され、シール用ゴムリング１６０はペンクリップ１２０の内壁にスライドして接触した後、空気流通を密閉する。
【００５３】
前記押圧ロッド１５０のゴムリング溝１５０ａには、Ｏ型構造のシール用ゴムリング１６０が設置されている。
【００５４】
次に、本発明の操作過程について説明する。
【００５５】
本発明は、ペンホルダー１１０と、ペンホルダー１１０の上端部の押圧ロッド１５０と、ペンホルダー１１０に挿入されたインクの乾燥を防ぐ乾燥防止装置２００、から構成される。 ペンホルダー１１０の上端部の押圧ロッド１５０の操作によって、乾燥防止装置２００は、ペン先１の出入れるシールパッド２４０の出入孔２４１を開閉するよう駆動され、ペンを使用していないときは、乾燥防止装置２００はインクの乾燥を防ぐようにシールパッド２４０の出入孔２４１を閉塞する。
【００５６】
押圧ロッド１５０を押すと、押圧ロッド１５０がインクカートリッジ１３０を一緒に降下させ、リミット段差面１３１が下方のタッピングスリーブ１４０に当接し、離脱防止挟持面１３４は切換スリーブ２１０の内壁の上端部に突起された耐圧突起２１１ａを降下すよう押し下げ、降下する切換スリーブ２１０は支持バネ２４４によって弾性的に支持された下部のシールパッド２４０に付勢され、一定の距離を押した後、回転閉鎖キャップ２３０とシールパッド２４０とが分離し、回転溝２１３の開放操作面２１３ａが回転支持部２３２の外側の回転操作突起２３４を押して、回転式閉鎖キャップ２３０を回転するように操作させ、シールパッド２４０の出入孔２４を開き、インクカートリッジ１３０のコア連結チューブ１３５上のペン先１がペンホルダー１１０の下方に向かって延びるようにする。
【００５７】
一方、前記リミット段差面１３１がタッピングスリーブ１４０の下端部の環状歯１４２の回転突起１１２に到達すると、一定の角度で回転して降下し、回転突起１１２が環状歯１４２の縁部に配置され、タッピングスリーブ１４０の操作により、インクカートリッジ１３０上に結合されたペン先１がペンホルダー１１０の外側へ延びる。
【００５８】
インクカートリッジ１３０の下部に形成された離脱防止挟持面１３４は、切換スリーブ２１０の内側の上部に形成された耐圧突起２１１ａを下向き押し下げ、切換スリーブ２１０が降下すると、下部の支持バネ２４４は、シールパッド２４０を弾性的に支持し、押されたシールパッド２４０は、一定の距離を降下し、支持バネ２４４を圧縮することによって、シールパッド２４０と回転式閉鎖キャップ２３０との間に一定の間隔を形成する。
【００５９】
回転式閉鎖キャップ２３０がシールパッド２４０から分離された後、インクカートリッジ１３０を引続き下方に移動すると、切換スリーブ２１０の下端部に形成された回転溝２１３の上部開放操作面２１３ａが回転操作突起２３４を押し、回転閉鎖キャップ２３０は、昇降キャップ２２０の回転軸２２２を中心にして側面の方向に回し、シールパッド２４０の出入孔２４１を開け、インクカートリッジ１３０と結合されたペン先１が延びる。
【００６０】
このとき、前記回転溝２１３に位置する回転操作突起２３４の上方と開放操作面２１３ａとの間の移動距離の間隔Ａと、切換スリーブ２１０を下方へ移動してシールパッド２４０に到達する上方の移動距離の間隔ａ’との差は、回転式閉鎖キャップ２３０はシールパッド２４０と離れる間隔高さの間隔ａ ''と同じである。回転式閉鎖キャップ２３０が回転して、シールパッド２４０の出入孔２４１を開け、両方との間に摩擦を発生しない。
【００６１】
一方、前記切換スリーブ２１０は、インクカートリッジ１３０の加圧の下で引き続き降下し、切換スリーブ２１０は、シールパッド２４０が下方に移動し、シールパッド２４０が最底部まで下方に移動すると、切換スリーブ２１０の耐圧突起２１１ａとロック突起２１１ｂは、ペンホルダー１１０の内側のリミット突起１１４の下方に配置されている。
【００６２】
切換スリーブ２１０はシールパッド２４０と接触して最底部に移動し、離脱防止挟持面１３４は耐圧突起２１１ａから分離され、弾性部２１１はリミット突起１１４の下方のスペースに移動した後、押えられて広げる。
【００６３】
弾性部２１１が外側に広がった後、耐圧突起２１１ａは離脱防止挟持面１３４の上方に配置され、弾性部２１１が外側に広がった状態下で、弾性部２１１の外側に突起されたロック突起２１１ｂがペンホルダー１１０のリミット突起１１４の下部に当接して、切換スリーブ２１０がシールパッド２４０に押し付けられ、回転式閉鎖キャップ２３０とシールパッド２４０とが分離する状態にあることを維持する。
【００６４】
押圧ロッド１５０が再度押されると、リミット段差面１３１がタッピングスリーブ１４０を押して下方へ移動し、下方に移動されたタッピングスリーブ１４０が昇降タッピング歯１４１のリミットを解除して、ペン先１が引込まれる。
【００６５】
このとき、切換スリーブ２１０においてタッピングバネ２１４によってインクカートリッジ１３０が上方へ移動し、弾性部２１１は離脱防止挟持面１３４の外側に広げることによって、元の位置に移動し、ペンホルダー１１０のリミット突起１１４とロック突起２１１ｂとの挟持状態が解除され、切換スリーブ２１０が上方へ移動する。
【００６６】
前記切換スリーブ２１０の上方へ移動する過程では、切換スリーブ２１０の内部のタッピングバネ２１４の弾性力がインクカートリッジ１３０を上方に押して上方に移動し、上方に移動するインクカートリッジ１３０上の締付用昇降突起１３３は、持ち上げ溝２１２に沿って上方に移動し、切換スリーブ２１０の上端部に移動する。
【００６７】
前記切換スリーブ２１０が上方に移動すると、回転溝２１３の閉塞操作面２１３ｂが回転操作突起２３４を引っ張り、回転式閉鎖キャップ２３０が回転軸２２２を中心に回転して、閉鎖面２３１は切換スリーブ２１０の側面から回転し、移動する。
【００６８】
支持バネ２４４の弾性力の下で、シールパッド２４０は操作スペース１１６内で上方へ一定の距離を移動し、回転式閉鎖キャップ２３０の閉鎖面２３１がシールパッド２４０の出入孔２４１に密着させ、支持バネ２４４は、シールパッド２４０に圧力を加えて、シールパッド２４０の出入孔２４１を閉塞する。
【００６９】
一方、前記ペンホルダー１１０の上部はシールリング１１１のペンクリップ１２０の外側の下部に接触して密閉が形成され、ペンクリップ１２０の内部の上方はシール用ゴムリング１６０によってシールされて、空気の流入を防ぎ、密閉を達成する。
【００７０】
シール用ゴムリング１６０が形成された孔径は押圧ロッド１５０よりも外径が大きいため、押圧ロッド１５０はシール用ゴムリング１６０に摩擦せず、タッピング操作が軽くてスムーズになる。
【００７１】
一方、本発明の他の例も同様に、前記押圧ロッド１５０の下部には、シール用ゴムリング１６０を取り付けるためのシール用のゴムリング溝１５０ａが形成され、シール用のゴムリング溝１５０ａには、シール用ゴムリング１６０が設けられ、シール用ゴムリング１６０がペンクリップの内壁に接触しているとき、ペン先１を伸ばした状態の下で、ペンクリップ１２０と下方へ移動する押圧ロッド１５０との間に隙間が発生する。ペン先１が引込まれる状態の下で、上方に移動した押圧ロッド１５０は、Ｏ型リングのシール用ゴムリング１６０を介してペンクリップ１２０の内側壁との隙間をシールして連結されている。
【符号の説明】
【００７２】
１１０    ペンホルダー
１１１    シールリング
１１２    回転突起
１１３    取付溝
１１４    リミット突起
１１５    バネ取付面
１１６    作業スペース
１２０    ペンクリップ
１３０    インクカートリッジ
１３１    リミット段差面
１３２    ガイド突起
１３３    締付用昇降突起
１３４    離脱防止挟持面
１３５    コア連結チューブ
１３６    シールド面
１４０    タッピングスリーブ
１４１    昇降タッピング歯
１４２    環状歯
１５０    押圧ロッド
１６０    シール用ゴムリング
２００    乾燥防止装置
２１０    切換スリーブ
２１１    弾性部
２１１ａ  耐圧突起
２１１ｂ  ロック突起
２１２    昇降溝
２１３    回転溝
２１４    タッピングバネ
２２０    昇降キャップ
２２１    支持突起
２２２    回転軸
２３０    回転式閉鎖キャップ
２３１    閉鎖面
２３２    回転支持部
２３３    軸孔
２３４    回転操作突起
２４０    シールパッド
２４１    出入孔
２４２    接触リング
２４３    バネ挿入溝
２４４    支持バネ
【図１】
2021530371.tif 000003
【図２】
2021530371.tif 000004
【図３】
2021530371.tif 000005
【図４】
2021530371.tif 000006
【図５】
2021530371.tif 000007
【図６】
2021530371.tif 000008
【図７】
2021530371.tif 000009
【図８】
2021530371.tif 000010
【図９】
2021530371.tif 000011
【図１０】
2021530371.tif 000012
【図１１】
2021530371.tif 000013
【図１２】
2021530371.tif 000014
【図１３】
2021530371.tif 000015
【図１４】
2021530371.tif 000016
【国際調査報告】
2021530371.tif 000017
2021530371.tif 000018
2021530371.tif 000019
2021530371.tif 000020